(57)【特許請求の範囲】
【請求項１】
天蓋、
上記天蓋に支持され、上記天蓋の下方に配置される照明装置、
照明板受け部をそれぞれ含む固定支持具及び回動支持具を有し、上記固定支持具及び上記回動支持具が水平方向へ互いに間隔を置いて上記天蓋に設けられ、上記固定支持具が上記天蓋に固定され、上記回動支持具が上記天蓋に対して回動可能になっている照明板支持装置、
上記回動支持具が所定の支持位置にあるときに上記照明装置の下方で各上記照明板受け部の間に支持され、水平方向について上記支持位置よりも上記固定支持具から離れた外れ位置へ上記回動支持具が回動されることにより各上記照明板受け部の間から外れる照明板、及び
上記照明板が各上記照明板受け部の間に支持された状態で上記回動支持具の上記外れ位置への回動を阻止可能で、所定の操作を受けることにより上記回動支持具の上記外れ位置への回動を許容するストッパ装置
を備えていることを特徴とするエレベータのかご天井装置。
【請求項２】
上記天蓋には、上記固定支持具から離れる方向へ順次間隔を置いて配置された複数の上記回動支持具が設けられ、
上記照明板は、上記固定支持具及び各上記回動支持具のそれぞれの上記照明板受け部の間に個別に支持されるようになっており、
上記ストッパ装置は、複数の上記回動支持具のうち、上記固定支持具から最も離れた上記回動支持具に係合して各上記回動支持具の上記外れ位置への回動を阻止する係合位置と、上記係合位置から離れて各上記回動支持具の上記外れ位置への回動を許容する解除位置との間で変位可能なストッパを有していることを特徴とする請求項１に記載のエレベータのかご天井装置。
【発明の詳細な説明】
【技術分野】
【０００１】
この発明は、照明装置の下方に配置される照明板を、天蓋に設けられた支持具で支持するエレベータのかご天井装置に関するものである。
【背景技術】
【０００２】
従来、かご室の天蓋と、天蓋から垂下された吊り具で吊られた照明板との間の寸法を小さくするために、照明板をかご室外へ逃すための逃し孔を天蓋に設けたエレベータのかご室天井が提案されている。天蓋の下面に支持された光源の取り替えを行うときには、照明板の一端部を押し上げて照明板を斜めにし、逃し孔を通して照明板をかご室外へ逃すことにより照明板の他端部を吊り具から外して、照明板をかご室天井から取り外す（例えば特許文献１参照）。
【先行技術文献】
【特許文献】
【０００３】
【特許文献１】特開２００７−８６１３号公報
【発明の概要】
【発明が解決しようとする課題】
【０００４】
しかし、照明板をかご室天井から取り外すときに照明板の一端部を押し上げて照明板の一端部が天蓋に達するまで照明板を傾斜させる必要があるので、照明板を傾斜させたときに照明板が光源と干渉するおそれがある。従って、照明板と光源との接触を回避するためにかご室天井の深さ（厚さ）を確保する必要があり、かご室天井の薄型化を図ることができない。このため、照明板が全面に配置された全面照明タイプのかご室天井では、厚さが通常の平天井よりも大きくなってしまう。
【０００５】
このことから、例えば既設のかごの壁を利用して、通常の平天井から全面照明タイプのかご室天井にリニューアルしようとすると、かご室内の天井高さが低くなり、かご室内の乗客に圧迫感を与えてしまう。
【０００６】
この発明は、上記のような課題を解決するためになされたものであり、厚さを薄くすることができるエレベータのかご天井装置を得ることを目的とする。
【課題を解決するための手段】
【０００７】
この発明に係るエレベータのかご天井装置は、天蓋、天蓋に支持され、天蓋の下方に配置される照明装置、照明板受け部をそれぞれ含み水平方向へ互いに間隔を置いて天蓋に設けられた固定支持具及び回動支持具を有し、固定支持具が天蓋に固定され、回動支持具が天蓋に対して回動可能になっている照明板支持装置、回動支持具が所定の支持位置にあるときに照明装置の下方で各照明板受け部間に支持され、水平方向について所定の支持位置よりも固定支持具から離れた外れ位置へ回動支持具が回動されることにより各照明板受け部間から外れる照明板、及び照明板が各照明板受け部間に支持された状態で回動支持具の外れ位置への回動を阻止可能で、所定の操作を受けることにより回動支持具の外れ位置への回動を許容するストッパ装置を備えている。
【発明の効果】
【０００８】
この発明に係るエレベータのかご天井装置では、天蓋に固定された固定支持具と、天蓋に対して回動可能な回動支持具とが照明板受け部をそれぞれ有し、回動支持具が所定の支持位置にあるときに照明板が照明装置の下方で各照明板受け部間に支持され、水平方向について所定の支持位置よりも固定支持具から離れた外れ位置へ回動支持具が回動されることにより照明板が各照明板受け部間から外れるようになっているので、照明板を支持する両側の照明板受け部間の水平方向についての距離を回動支持具の回動により拡大することができ、照明板を大きく傾けなくても、照明板を各照明板受け部間から外すことができる。これにより、照明板を取り外すときに必要な高さ方向のスペースを小さくすることができ、かご天井装置の厚さを薄くすることができる。
【図面の簡単な説明】
【０００９】
【図１】この発明の実施の形態１によるエレベータのかご天井装置を示す構成図である。
【図２】図１のかご天井装置の固定支持具を含む所定の範囲を示す拡大図である。
【図３】図１のストッパ装置の要部を示す拡大図である。
【図４】図３のストッパを示す斜視図である。
【図５】図３のストッパが解除位置に変位されているときのストッパ装置を示す構成図である。
【図６】図５のストッパを示す斜視図である。
【発明を実施するための形態】
【００１０】
実施の形態１．
図１は、この発明の実施の形態１によるエレベータのかご天井装置を示す構成図である。図において、かご天井装置１は、かごの縦壁２の上端部に周縁部が支持されることによりエレベータのかごの上部に配置されている。また、かご天井装置１は、周縁部が縦壁２上に載せられて固定された天蓋３と、天蓋３に支持され、天蓋３の下方に配置される複数の照明装置４と、各照明装置４の下方に配置され、各照明装置４からの光をかご内へ通す複数の照明板５と、天蓋３に設けられ、各照明板５を支持する照明板支持装置６と、天蓋３に設けられ、通常時に各照明板５が照明板支持装置６から外れることを防止するストッパ装置７とを有している。
【００１１】
各照明装置４は、天蓋３の周縁部を除くほぼ全面に互いに間隔を置いて並べられている。この例では、各照明装置４が蛍光灯とされている。
【００１２】
照明板支持装置６は、各照明装置４を避けて水平方向へ互いに間隔を置いて天蓋３に設けられた固定支持具８及び複数（この例では、３つ）の回動支持具９を有している。固定支持具８及び複数の回動支持具９のうち、固定支持具８が端部に配置され、複数の回動支持具９が固定支持具８から離れる方向へ順次間隔を置いて配置されている。この例では、固定支持具８及び各回動支持具９がかごの奥行き方向へ互いに間隔を置いて配置されている。また、固定支持具８及び各回動支持具９は、それぞれの長さ方向をかごの幅方向に一致させて配置されている。
【００１３】
固定支持具８及び各回動支持具９は、天蓋３からそれぞれ下方へ垂下されている。固定支持具８は、天蓋３に固定されている。各回動支持具９は、天蓋３に対して回動可能になっている。
【００１４】
ここで、図２は、図１のかご天井装置１の固定支持具８を含む所定の範囲を示す拡大図である。なお、図２では、便宜上、図１のストッパ装置７の図示を省略している。固定支持具８は、天蓋３の下方に配置される目地（照明板受け部）２１と、目地２１の上部に固定された吊り板２２と、吊り板２２を天蓋３の下面に固定する固定用Ｌ字部材（固定取付部材）２３とを有している。各回動支持具９は、天蓋３の下方に配置される目地（照明板受け部）２１と、目地２１の上部に固定された吊り板２２と、吊り板２２を天蓋３に対して回動可能に取り付けるヒンジ２４とを有している。即ち、固定支持具８及び回動支持具９は、目地２１及び吊り板２２をそれぞれ有し、天蓋３に取り付けられる構成が互いに異なっている。
【００１５】
固定支持具８及び各回動支持具９のそれぞれの目地２１は、照明装置４の位置よりも低い位置に配置される。また、固定支持具８及び各回動支持具９のそれぞれの目地２１は、吊り板２２の下端部に固定された目地取付部２１ｃと、目地取付部２１ｃの下端部から左右に突出する第１の突出部２１ａ及び第２の突出部２１ｂとを有している。第１の突出部２１ａの突出長さは、第２の突出部２２ｂの突出長さよりも短くなっている。
【００１６】
各回動支持具９のヒンジ２４は、固定支持具８と平行に配置された水平回動軸２４ａと、水平回動軸２４ａを中心に回動可能で天蓋３に固定された第１の固定板２４ｂと、第１の固定板２４ｂとは別個に水平回動軸２４ａを中心に回動可能で吊り板２２に固定された第２の固定板２４ｃとを有している。従って、回動支持具９は、天蓋３に対して水平回動軸２４ａを中心に回動可能になっている。
【００１７】
固定支持具８の目地２１は、天蓋３に対して変位されず、天蓋３に対する所定の位置に保持されている。これに対して、各回動支持具９の目地２１は、回動支持具９の天蓋３に対する回動により、固定支持具８との距離が水平方向について変化する方向へ変位される。
【００１８】
各照明板５は、固定支持具８及び各回動支持具９のそれぞれの目地２１間に個別に支持されることにより、照明装置４の下方に配置される。また、各照明板５は、回動支持具９ごとに決まっている所定の支持位置に各回動支持具９があるときに各目地２１間に支持され（図１及び図２）、所定の支持位置よりも固定支持具８から離れた外れ位置（後述の図５及び図６）へ各回動支持具９が回動されることにより、各目地２１間の距離が拡大し、各目地２１間から外れるようになっている。さらに、各照明板５は、図１に示すように、かご天井装置１の周縁部を除くほぼ全面に並べて配置されている。
【００１９】
各照明板５は、各回動支持具９が所定の支持位置にあるとき、図２に示すように、照明板５の両側に位置する目地２１のうち、一方の目地２１の第１の突出部２１ａに照明板５の一端部が載せられ、他方の目地２１の第２の突出部２１ｂに照明板５の他端部が載せられた状態で、各目地２１間に支持される。
【００２０】
ストッパ装置７は、図１に示すように、複数の取付用腕３１を介して天蓋３に水平に固定された一対のストッパ支持板（ストッパ支持部材）３２と、各ストッパ支持板３２にそれぞれ回動可能に取り付けられた一対のストッパ３３とを有している。各ストッパ支持板３２は、各目地２１の長さ方向の両外側で、回動支持具９が並ぶ方向（この例では、かごの奥行き方向）に沿って配置されている。
【００２１】
各回動支持具９のうち、固定支持具８から最も離れた回動支持具は、各ストッパ３３が係合可能な係合用回動支持具９とされている。各ストッパ３３は、係合用回動支持具９の長さ方向両端部に係合可能になっている。
【００２２】
図３は図１のストッパ装置７の要部を示す拡大図、図４は図３のストッパ３３を示す斜視図である。また、図５は図３のストッパ３３が解除位置に変位されているときのストッパ装置７を示す構成図、図６は図５のストッパ３３を示す斜視図である。なお、図３及び図５では、照明装置４の図示を省略している。ストッパ３３は、ストッパ支持板３２に設けられたストッパ軸３４を中心に回動可能になっている。ストッパ軸３４は、水平回動軸２４ａと平行に配置されている。
【００２３】
また、ストッパ３３は、図４及び図６に示すように、ストッパ軸３４に取り付けられた軸取付部３３ａと、軸取付部３３ａの端部から突出し、目地２１が変位される方向について係合用回動支持具９に対向する係合部３３ｂとを有している。係合部３３ｂは、係合用回動支持具９の目地２１よりも固定支持具８から離れた位置に配置されている。
【００２４】
ストッパ３３は、ストッパ軸３４を中心とする回動により、所定の支持位置にあるときの係合用回動支持具９に係合部３３ｂが係合して係合用回動支持具９の外れ位置への回動を阻止する係合位置（図３及び図４）と、係合位置から離れて係合用回動支持具９の外れ位置への回動を許容する解除位置（図５及び図６）との間で変位可能になっている。
【００２５】
この例では、ストッパ３３を下方へ回動させて係合部３３ｂを固定支持具８に近づけることによりストッパ３３を係合位置に変位させ（図３及び図４）、ストッパ３３を上方へ回動させて係合部３３ｂを固定支持具８から遠ざけることによりストッパ３３を解除位置に変位させる（図５及び図６）ようになっている。
【００２６】
ストッパ３３には、係合位置から解除位置への変位に逆らう所定の抵抗力が生じるようになっている。例えば、ストッパ３３とストッパ軸３４との間に摩擦材を介在させたり、ストッパ３３を係合位置へ付勢する弾性体（ばね）をストッパ３３とストッパ支持板３２との間に接続したりすることにより、ストッパ３３に所定の抵抗力が生じるようになっている。これにより、ストッパ３３が係合用回動支持具９に押されて係合位置から解除位置へ変位されることが防止される。ストッパ３３は、ストッパ３３に生じる抵抗力に逆らってストッパ３３を回動させる操作（所定の操作）により、係合位置から解除位置へ変位される。
【００２７】
各照明板５が各目地２１間に支持され、かつ係合用回動支持具９の外れ位置への回動が阻止されている状態では、係合用回動支持具９以外の回動支持具９の回動も照明板５を介して規制されるので、すべての回動支持具９の外れ位置への回動が阻止される。また、係合用回動支持具９が外れ位置へ回動されると、係合用回動支持具９に近い側から順に、照明板５の取り外しと、回動支持具９の外れ位置への回動とが可能になる。
【００２８】
照明板５の側部の下面には、ストッパ支持板３２を隠すための目地４１が例えば両面テープや接着剤等で貼り付けられている。これにより、照明板５の周部に目地２１，４１が配置されることとなり、かご内から見たときのかご天井装置１の意匠性の向上が図られる。
【００２９】
次に、かご天井装置１から照明板５を取り外すときの手順を説明する。各照明板５がかご天井装置１に取り付けられているときには、図１及び図２に示すように、各回動支持具９が所定の支持位置にそれぞれ変位されており、照明板５が固定支持具８及び各回動支持具９のそれぞれの目地２１間に個別に支持されている。また、このときには、図３及び図４に示すように、固定支持具８から最も離れた係合用回動支持具９に、係合位置に変位されたストッパ３３が係合されている。これにより、各回動支持具９の外れ位置への回動がストッパ３３により阻止され、各照明板５が各目地２１間から外れることが防止されている。
【００３０】
例えば照明装置４の交換等のために、各照明板５を各目地２１間から取り外すときには、まず、所定の抵抗力に逆らってストッパ３３を回動させる操作を行い、ストッパ３３を係合位置（図１〜図４）から解除位置（図５及び図６）へ変位させる。これにより、係合用回動支持具９が外れ位置へ回動可能になる。
【００３１】
この後、ストッパ３３を解除位置に保持したまま、係合用回動支持具９を支持位置（図１〜図４）から外れ位置（図５及び図６）へ回動させて、係合用回動支持具９の目地２１を照明板５の端部から外し、目地２１が外れた照明板５を各目地２１間から取り外す。これにより、係合用回動支持具９の隣に配置された回動支持具９が外れ位置へ回動可能になる。
【００３２】
この後、回動可能になった回動支持具９を外れ位置へ回動させて、回動支持具９の目地２１を照明板５の端部から外し、目地２１が外れた照明板５を各目地２１間から取り外す。
【００３３】
このようにして、係合用回動支持具９に近い側から順に、照明板５の取り外しと、回動支持具９の外れ位置への回動とを繰り返し行い、すべての照明板５を各目地２１間から取り外す。この後、例えば照明装置４の交換等の作業を行う。
【００３４】
照明装置４の交換等の作業が完了した後には、上記と逆の手順を行うことにより、各照明板５をかご天井装置１に取り付ける。
【００３５】
このようなエレベータのかご天井装置１では、天蓋３に固定された固定支持具８と、天蓋３に対して回動可能な回動支持具９とが目地２１をそれぞれ有し、回動支持具９が所定の支持位置にあるときに照明板５が各目地２１間に支持され、水平方向について所定の支持位置よりも固定支持具８から離れた外れ位置へ回動支持具９が回動されることにより照明板５が各目地２１間から外れるようになっているので、照明板５を支持する両側の目地２１間の水平方向についての距離を回動支持具９の回動により拡大することができ、照明板５を大きく傾けなくても、照明板５を各目地２１間から外すことができる。これにより、照明板５を取り外すときに必要な高さ方向のスペースを小さくすることができ、かご天井装置１の厚さを薄くすることができる。これにより、例えばかご天井装置１のリニューアルを容易に行うことができるとともに、かご内での圧迫感も減らすことができる。また、照明板５の着脱の際に照明板５を大きく傾ける必要がないので、照明板５が照明装置４に当たりにくくなり、照明装置４の破損の防止を図ることができる。
【００３６】
また、ストッパ３３が、固定支持具８から最も離れた係合用回動支持具９に係合して各回動支持具９の外れ位置への回動を阻止する係合位置と、係合位置から離れて各回動支持具９の外れ位置への回動を許容する解除位置との間で変位可能になっているので、各照明板５が各目地２１間から外れることを簡単な構成で防止することができる。
【００３７】
なお、上記の例では、係合位置と解除位置との間のストッパ３３の変位がストッパ３３の回動により行われるようになっているが、係合位置と解除位置との間のストッパ３３の変位をストッパ３３のストッパ支持板３２に対する着脱により行うようにしてもよい。即ち、ストッパ支持板３２に固定具（例えば蝶ねじ等）でストッパ３３を固定することにより係合用回動支持具９にストッパ３３を係合させて各回動支持具９の外れ位置への回動を阻止し、固定具を外してストッパ３３をストッパ支持板３２から外す操作（所定の操作）を行うことにより各回動支持具９の外れ位置への回動を許容するようにしてもよい。この場合、ストッパ３３を固定する蝶ねじ等の固定具は、かご内から見て目立ちにくい位置（例えばストッパ支持板３２の側面等）に設けられる。このようにしても、各照明板５が各目地２１間から外れることを簡単な構成で防止することができる。
【００３８】
また、上記の例では、回動支持具９の数が複数とされているが、回動支持具９の数は１つであってもよい。このようにしても、固定支持具８の目地２１と回動支持具９の目地２１との間に照明板５を支持することができるとともに、回動支持具９の外れ位置への回動により、照明板５を大きく傾けることなく照明板５を各目地２１間から外すことができる。
【符号の説明】
【００３９】
１  かご天井装置、３  天蓋、４  照明装置、５  照明板、６  照明板支持装置、７  ストッパ装置、８  固定支持具、９  回動支持具、２１  目地（照明板受け部）、３３  ストッパ。
【図１】
0005846794.tif 000002
【図２】
0005846794.tif 000003
【図３】
0005846794.tif 000004
【図４】
0005846794.tif 000005
【図５】
0005846794.tif 000006
【図６】
0005846794.tif 000007